(57)【特許請求の範囲】
【請求項１】
車両において、電力の供給について制御を行う制御装置であって、
前記車両内における予め定められた複数の領域と、前記複数の領域内に配置される一又は複数の機器との対応関係を前記領域毎に表す機器情報、を取得するように構成された機器取得部（Ｓ１４５）と、
前記複数の領域のうちいずれの領域に人が存在するかを判断するように構成された領域判断部（Ｓ１５０）と、
前記機器情報と前記領域判断部による判断結果とに基づいて、前記人が存在する領域に対応する機器を表す周囲機器を特定するように構成された特定部（Ｓ１５５）と、
前記周囲機器に電力を供給し、且つ、前記機器情報に含まれる機器のうちの前記周囲機器を除く機器を表す非周囲機器のうち少なくとも一部には電力を供給しない制御を行うように構成された供給制御部（Ｓ１６５）と、
前記車両内に設置され電波を送信する送信機に、前記複数の領域に向けて順に電波を送信させるように構成された送信指示部（Ｓ１０５）と、
人に携帯されて移動可能な通信機であって、前記送信機から電波が送信されるたびに送信された電波を受信して受信した電波の受信強度を受信した順に表した強度情報を送信する通信機、から前記強度情報を取得するように構成された強度取得部（Ｓ１２０）と、
を備え、
前記領域判断部は、前記強度情報を用いて、前記複数の領域のうち前記受信強度が予め定められた強度閾値以上となる領域を前記通信機が存在する領域として推定し、前記通信機が存在する領域を前記人が存在する領域として判断するように構成された
制御装置。
【請求項２】
請求項１に記載の制御装置であって、
前記送信指示部は、前記送信機に前記複数の領域に向けて順に、予め定められた時間内に複数回、電波を送信させるように構成され、
前記強度取得部は、前記強度情報を前記複数回分取得するように構成され、
前記領域判断部は、少なくとも前記受信強度が前記強度閾値以上となる領域において時間の経過に伴う受信強度の変化量が予め定められた変化量閾値未満である場合に、前記複数の領域のうちいずれの領域に人が存在するかを判断するように構成された
制御装置。
【請求項３】
請求項１または請求項２に記載の制御装置であって、
前記通信機から前記通信機を識別する情報を表す識別情報を取得するように構成された識別取得部（Ｓ１１０）と、
前記車両における記録部に予め記録されている前記車両の鍵として機能する認証機を識別する情報と、前記識別情報とが一致している場合に、前記通信機が前記認証機であると判断するように構成された認証部（Ｓ１１５）と、
を備え、
前記供給制御部は、前記通信機が前記認証機である場合に、前記周囲機器に電力を供給し、且つ、前記非周囲機器のうち少なくとも一部に電力を供給しない制御を行うように構成された
制御装置。
【請求項４】
請求項１から請求項３のいずれか一項に記載の制御装置であって、
前記複数の領域には、前記車両内における運転席を除く領域が含まれており、
前記供給制御部は、前記領域判断部によって前記運転席を除く領域に人が存在すると判断された場合に、少なくともエンジンを起動させる機器に電力を供給しないよう構成された
制御装置。
【請求項５】
請求項１から請求項４のいずれか一項に記載の制御装置であって、
前記複数の領域は、それぞれ、前記車両内における一又は複数の座席に対して定められている
制御装置。
【請求項６】
請求項１から請求項５のいずれか一項に記載の制御装置であって、
前記供給制御部は、前記車両が停止している場合に、前記周囲機器に電力を供給し、且つ、前記非周囲機器のうち少なくとも一部に電力を供給しない制御を行うように構成された
制御装置。
【発明の詳細な説明】
【技術分野】
【０００１】
本発明は、車両に搭載される機器に供給する電力について制御を行う技術に関する。
【背景技術】
【０００２】
従来、車両における消費電力を低減するための種々の技術が開発されている。
特許文献１では、運転席に設けられたシートセンサにより運転席が空席になったことが検出された場合に、運転者が車両を離れたと判断し、車両における電力の供給を全て中止する技術が開示されている。
【先行技術文献】
【特許文献】
【０００３】
【特許文献１】米国特許４３８１０４２号明細書
【発明の概要】
【発明が解決しようとする課題】
【０００４】
ところで、車両において、例えば、ナビゲーション装置の設定やシート位置の設定といった、車両の乗員によって操作可能な装置が、座席毎に搭載されていることがある。
このような車両に特許文献１に記載の技術を適用すると、運転者が車両を離れた際に車両における電力の供給が全て中止されるので、助手席や後部座席に残っている乗員は何ら車両内の装置を操作することができない。つまり、車両内に存在する乗員の利便性が害されるという問題が生じる。
【０００５】
かといって、車両に搭載された全ての機器に常に電力を供給するとなると、消費電力が増大するという問題が生じる。
本発明は、こうした問題にかんがみてなされたものであり、車両内に存在する人の利便性が害されることを抑制し、且つ、消費電力を低減する技術を提供することを目的としている。
【課題を解決するための手段】
【０００６】
本発明の制御装置は、車両において、電力の供給について制御を行う装置であって、機器取得部（Ｓ１４５）と、領域判断部（Ｓ１５０）と、特定部（Ｓ１５５）と、供給制御部（Ｓ１６５）と、を備える。
【０００７】
機器取得部は、車両内における予め定められた複数の領域と、複数の領域内に配置される一又は複数の機器との対応関係を領域毎に表す機器情報、を取得する。領域判断部は、複数の領域のうちいずれの領域に人が存在するかを判断する。特定部は、機器情報と領域判断部による判断結果とに基づいて、人が存在する領域に対応する機器を表す周囲機器を特定する。供給制御部は、周囲機器に電力を供給し、且つ、機器情報に含まれる機器のうちの周囲機器を除く機器を表す非周囲機器のうち少なくとも一部には電力を供給しない制御を行う。
【０００８】
このような構成によれば、車両内に存在する人は周囲機器を利用することが可能となるので、車両内に存在する人の利便性が害されることを抑制することができる。更に、非周囲機器のうち少なくとも一部には電力が供給されないので、消費電力を低減することができる。
【０００９】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１０】
【図１】電力制御システムの構成を示すブロック図。
【図２】ＬＦアンテナにより電波が送信される領域を説明する図。
【図３】バッテリによる電力の供給を説明する図。
【図４】電力制御処理のフローチャート。
【図５】機器情報を説明する図。
【図６】受信強度と距離との関係と、第１の閾値及び第２の閾値とを説明する図。
【図７】通信機処理のフローチャート。
【図８】人が存在する座席を特定する例を説明する図。
【発明を実施するための形態】
【００１１】
以下、図面を参照しながら、発明を実施するための形態を説明する。
［１．構成］
本発明が適用された図１に示す電力制御システム１は、車両内において人が存在する領域を特定し、特定した領域に対応する機器に電力を供給する機能を有する。
【００１２】
電力制御システム１は、車両に搭載された車載装置１０と、主に車両内において人に所持されうる一又は複数の通信機２０とを備える。なお以下では車両内における人を乗員ともいう。ここでいう通信機２０とは、人に携帯されて移動可能であって、後述するように車載装置１０から電波が送信されるたびに送信された電波を受信して強度情報を送信する装置を表す。強度情報とは、受信した電波の受信強度を受信した順に表した情報を示す。
【００１３】
車載装置１０が備える制御装置５０と通信機２０とは、高周波数（以下、ＲＦ）帯の電波、及び低周波数（以下、ＬＦ）帯の電波を用いて通信を行うように設定されている。なお、ここでいうＲＦ帯とは数百ＭＨＺ程度の周波数の範囲をいう。ＬＦ帯とは周波数が百〜数百ｋＨＺ程度の周波数の範囲をいう。
【００１４】
車載装置１０は、制御装置５０に加えて、ＲＦアンテナ３１、ＬＦアンテナ３２、エンジン始動ボタン３３、タッチセンサ３４、ＥＣＵ３５、及び供給部３６を備える。制御装置５０とＥＣＵ３５とは、通信用のバス１１を介して互いに通信可能に接続されている。なお、バス１１を介した通信の通信方式は、例えば、ＣＡＮ、ＬＩＮ等といった通信方式を含む任意の通信方式であってよい。
【００１５】
なお、ＣＡＮは、登録商標であり、Controller Area Networkの略である。ＬＩＮは、Local Interconnect Networkの略である。ＥＣＵは、Electronic Control Unitの略である。
【００１６】
制御装置５０は、ＣＰＵ５１と、ＲＡＭ、ＲＯＭ、フラッシュメモリ等の半導体メモリ（以下、メモリ５２）と、ＲＦレシーバ５３と、ＬＦドライバ５４とを有する周知のマイクロコンピュータを中心に構成される。
【００１７】
制御装置５０の各種機能は、ＣＰＵ５１が非遷移的実体的記録媒体に格納されたプログラムを実行することにより実現される。例えば、上記ＲＯＭが、プログラムを格納した非遷移的実体的記録媒体に該当する。また、このプログラムの実行により、プログラムに対応する方法が実行される。なお、制御装置５０を構成するマイクロコンピュータの数は１つでも複数でもよい。
【００１８】
ＣＰＵ５１は後述する電力制御処理等のプログラムを実行することで、電力制御等の各種機能を実現する。制御装置５０の機能を実現する手法はソフトウェアに限るものではなく、その一部又は全部の要素を、論理回路やアナログ回路等を組み合わせたハードウェアを用いて実現してもよい。
【００１９】
例えば、ＣＰＵ５１は、電力制御処理以外の処理として、エンジン始動ボタン３３が操作された際に、車両内の通信機２０との認証を行い、認証が成功すれば後述するエンジンＥＣＵに対してエンジンの始動を許可する処理等を実施する。
【００２０】
メモリ５２には、認証機を識別する情報（以下、認証情報）が記録されている。認証機とは、本電力制御システム１が搭載された車両の鍵として機能する通信機２０を表す。鍵として機能するとは、例えば、車両の施錠や開錠、或いはエンジンの始動といった機能を有することを表す。
【００２１】
ここで、通信機２０からデータが受信される際には、ＲＦアンテナ３１を介してＲＦ帯の信号が受信され、ＲＦレシーバ５３によりＲＦ帯の信号が復調され、復調された信号がＣＰＵ５１に入力される。一方、車両から通信機２０にデータが送信される際には、ＣＰＵ５１にて生成されたデータがＬＦドライバ５４によりＬＦ帯の信号に変調され、変調された信号がＬＦアンテナ３２から送信される。
【００２２】
ＲＦアンテナ３１は、車両内に設置され、ＲＦ帯の電波を受信する。
ＬＦアンテナ３２は、車両内に設置され、ＬＦ帯の電波を送信する。ここでいう車両内とは、主に車両の室内を表す。本実施形態では、車両内に、複数のＬＦアンテナ３２ａ、３２ｂ、３２ｃが配置されている。
【００２３】
なお、以下では、個々の構成要素について説明する場合には「ＬＦアンテナ３２ａ」のように符号の後ろに添え字を付し、共通する内容を説明する場合には「ＬＦアンテナ３２」のように添え字を略して、表記する。
【００２４】
ＬＦアンテナ３２は、ＬＦ帯の電波を送信可能な領域（以下、通信領域）が予め定められている。
図２に示すように、車両５内には、運転席７１、助手席７２、運転席７１の後ろ側の席（以下、運転席後部席）７３、助手席７２の後ろ側の席（以下、助手席後部席）７４、等の座席が含まれる。
【００２５】
ＬＦアンテナ３２ａは、運転席７１と助手席７２との間の床上に設置されており、その通信領域（以下、第１の通信領域３２１）は、運転席７１及び助手席７２に対して定められている。ＬＦアンテナ３２ｂは運転席後部席７３の座席シートの足下の床上に設置されており、その通信領域（以下、第２の通信領域３２２）は、運転席後部席７３に対して定められている。
【００２６】
ＬＦアンテナ３２ｃは助手席後部席７４の座席シートの足下の床上に設置されており、その通信領域（以下、第３の通信領域３２３）は、助手席後部席７４に対して定められている。
【００２７】
図１に戻り説明を続ける。タッチセンサ３４は車両５のドアを開錠または施錠する際に人によって触れられる周知のセンサである。タッチセンサ３４が触れられると、ＣＰＵ５１は、通信機２０の認証を行い、認証が成功するとドアの開錠や施錠を行うアクチュエータに対して開錠または施錠するよう指示を送る。
【００２８】
図３に示すように、本実施形態では、ＥＣＵ３５としての、ナビＥＣＵ３５ａ、エアコンＥＣＵ３５ｂ、シートＥＣＵ３５ｃ、エンジンＥＣＵ３５ｄを備える。
ナビＥＣＵ３５ａは、ナビゲーション装置４１の制御を行う。ここでいうナビゲーション装置は、少なくともタッチパネルディスプレイを備え、乗員からの入力を受け付けるとともに、画像データに基づく画像を表示する周知の装置である。ナビゲーション装置にて入力が受け付けられると、ナビＥＣＵ３５ａは、入力に応じた画像データを生成し、ナビゲーション装置に該画像データに基づく画像を表示するよう指示と画像データとを送る。
【００２９】
図３に示すように、ナビゲーション装置４１ａ〜４１ｄは、各座席における乗員がそれぞれ入力の操作を行ったり画像を観たりすることが可能なように、それぞれ、運転席７１、助手席７２、運転席後部席７３、助手席後部席７４の付近に設けられている。ナビＥＣＵ３５ａは、それぞれのナビゲーション装置４１ａ〜４１ｄに対する電力の供給及び停止についても制御も行う。
【００３０】
エアコンＥＣＵ３５ｂは、エアコンディショナー（以下、エアコン）の吹き出し口における風量や温度の調整等について制御を行う周知の装置である。エアコンの吹き出し口は各座席の付近に設けられている。また、各座席における乗員がそれぞれ風量や温度を調整することが可能なように、乗員からの風量や温度を調整するための入力を受け付ける装置（以下、エアコン入力装置）４２ａ〜４２ｄが、それぞれ、運転席７１、助手席７２、運転席後部席７３、助手席後部席７４の付近に設けられている。
【００３１】
エアコンＥＣＵ３５ｂは、入力を受け付けると、吹き出し口における風量や温度を変化させるようエアコンに対して指示を送る。エアコンＥＣＵ３５ｂは、エアコン入力装置４２ａ〜４２ｄに対する電力の供給及び停止についても制御も行う。
【００３２】
シートＥＣＵ３５ｃは、座席の前後の位置及び背もたれの角度等といった座席の調整等について制御を行う周知の装置である。各座席における乗員がそれぞれ座席を調整することが可能なように、乗員からの座席の調整を行うための入力を受け付ける装置（以下、座席入力装置）４３ａ〜４３ｄが、それぞれ、運転席７１、助手席７２、運転席後部席７３、助手席後部席７４の付近に設けられている。
【００３３】
シートＥＣＵ３５ｃは、入力を受け付けると、座席の前後の位置及び背もたれの角度を変化させるアクチュエータに対して、位置及び角度を変化させるよう指示を送る。シートＥＣＵ３５ｃは、シート入力装置４３ａ〜４３ｄに対する電力の供給及び停止についても制御を行う。
【００３４】
エンジンＥＣＵ３５ｄは、エンジンの制御を行う周知の装置である。前述のように、エンジン始動ボタン３３が触れられると、ＣＰＵ５１は、通信機２０の認証が成功した後にエンジンに対して始動を行うよう指示を送る。ＣＰＵ５１は、その後、再びエンジン始動ボタン３３が触れられると、エンジンに対して停止するよう指示を送る。
【００３５】
エンジン始動ボタン３３は、運転席７１に座った乗員が容易に操作できるように、インスツルメントパネルにおける運転席７１近くに設けられている。エンジンＥＣＵ３５ｄは、エンジン始動ボタン３３に対する電力の供給及び停止についても制御を行う。
【００３６】
供給部３６は、図示しないバッテリと、複数の電力リレー３６１ａ〜３６１ｄとを備える。電力リレー３６１は、ＣＰＵ５１から出力される指示に従ってオン、オフされるリレーである。電力リレー３６１の一方はバッテリに接続され、他方は電力リレー３６１がオンされている際に電力を供給するシステム及び装置等に接続されている。
【００３７】
電力リレー３６１ａの他方は、少なくともナビＥＣＵ３５ａ及びナビゲーション装置４１ａ〜４１ｄに接続されている。電力リレー３６１ｂの他方は、少なくともエアコンＥＣＵ３５ｂ及び各エアコン入力装置４２ａ〜４２ｄに接続されている。電力リレー３６１ｃの他方は、少なくともシートＥＣＵ３５ｃ及びシート入力装置４３ａ〜４３ｄに接続されている。電力リレー３６１ｄの他方は、少なくともエンジンＥＣＵ３５ｄ及びエンジン始動ボタン３３に接続されている。
【００３８】
図１に戻り説明を続ける。通信機２０は、車両５の施錠、開錠、及びエンジンを始動させる際に、認証を行うための識別情報を送信する機能を有する。
通信機２０は、ＣＰＵ２１及びＲＯＭ、ＲＡＭ、フラッシュメモリ等の半導体メモリ（以下、メモリ２２）とを有する周知のマイクロコンピュータと、ＲＦ送信部２３と、ＲＦアンテナ２４と、ＬＦアンテナ２５と、ＬＦ受信部２６とを備える。
【００３９】
ＣＰＵ２１は、メモリ２２に格納された通信機処理等のプログラムを実行することで、例えば、ＬＦ帯の信号を復調して得られるデータを受信したり、強度情報といったデータを生成して該データを送信するといった機能等を実現する。通信機２０の機能を実現する手法はソフトウェアに限るものではなく、その一部又は全部の要素を、論理回路やアナログ回路等を組み合わせたハードウェアを用いて実現してもよい。
【００４０】
メモリ２２には、識別情報が記録されている。識別情報とは、通信機２０を識別する情報を表す。
ＲＦ送信部２３は、ＣＰＵ２１にて生成された車両宛のデータをＲＦ帯の信号に変調する。ＲＦアンテナ２４は、ＲＦ帯の信号を送信する。ＬＦアンテナ２５は、ＬＦ帯の信号を受信し、ＬＦ受信部２６に出力する。ＬＦ受信部２６は、ＬＦ帯の信号を復調し、復調後のデータをＣＰＵ２１に出力する。
【００４１】
［２．処理］
制御装置５０は、図４に示す電力制御処理を実施する。また、通信機２０は、図７に示す通信機処理を実施する。
【００４２】
電力制御処理は、車両５における電力の供給について制御を行うための処理である。電力制御処理は定期的に起動する処理である。通信機処理は、及び通信機処理通信機処理は後述するようにサーチ指令を受信したことをきっかけに起動する処理である。以下では、電力制御システム１が通信機２０を１つ備える場合について説明する。
【００４３】
［電力制御処理］
制御装置５０におけるＣＰＵ５１が実行する電力制御処理について、図４のフローチャートを用いて説明する。なお、以下の説明において主語が省略されている場合は、ＣＰＵ５１を主語とする。
【００４４】
ＣＰＵ５１は、Ｓ１００では、サーチ指令を送信する。サーチ指令とは、通信機２０に、後述する通信機処理を開始させるための指示を表す。サーチ指令は、ＬＦドライバ５４を介してＬＦアンテナ３２ａ〜３２ｃから送信される。
【００４５】
続くＳ１０５では、ＣＰＵ５１は、車両５内に設置され電波を送信するＬＦアンテナ３２に、予め定められた複数の領域に向けて予め定められた順に、ＬＦ帯の電波を送信させるよう、指示を出力する。
【００４６】
具体的には、ＣＰＵ５１は、ＬＦアンテナ３２ａに第１の通信領域３２１に向けてＬＦ帯の電波を送信させ、次にＬＦアンテナ３２ｂに第２の通信領域３２２に向けてＬＦ帯の電波を送信させ、最後にＬＦアンテナ３２ｃに第３の通信領域３２３に向けてＬＦ帯の電波を送信させるよう、ＬＦドライバ５４に指示を出力する。ＬＦドライバ５４は、指示に従ってＬＦアンテナ３２ａ、３２ｂ、３２ｃに順にＬＦ帯の電波を出力する。
【００４７】
なお、ＣＰＵ５１は、Ｓ１０５の処理を実行した回数（以下、ＬＦ送信回数）をメモリ５２に記録している。
ＣＰＵ５１は、Ｓ１１０では、通信機２０から識別情報を取得する。後述するように、通信機２０は、サーチ指令を受信すると、ＬＦアンテナ３２から順に送信されるＬＦ帯の電波の受信強度をそれぞれ記録して強度情報を生成し、メモリ２２に記録されている識別情報と強度情報とをＲＦ帯の電波を用いて送信するように構成されている。ＣＰＵ５１は、本ステップにおいて、このようにして送信される識別情報を取得する。
【００４８】
ＣＰＵ５１は、Ｓ１１５では、識別情報を送信した通信機２０が認証機であるか否かを判断する。具体的には、ＣＰＵ５１は、メモリ５２に予め記録されている認証情報と、Ｓ１１０にて取得した識別情報とが一致している場合に、通信機２０が認証機であると判断する。ＣＰＵ５１は、通信機２０が認証機である場合に処理をＳ１２０へ移行させ、認証機でない場合に本電力制御処理を終了する。
【００４９】
ＣＰＵ５１は、Ｓ１２０では、通信機２０から送信された強度情報をＲＦアンテナ３１及びＲＦレシーバ５３を介して取得する。強度情報とは、通信機２０が、ＬＦアンテナ３２からＬＦ帯の電波が送信されるたびに送信された電波を受信して、受信した電波の受信強度を受信した順に記録して生成した情報を表す。
【００５０】
ＣＰＵ５１は、Ｓ１２５では、Ｓ１２０にて取得された強度情報をメモリ５２に記録する。
ＣＰＵ５１は、Ｓ１３０では、Ｓ１２０にて取得された強度情報において、強度閾値以上となる値を示す受信強度が含まれている場合に、該受信強度に対応する電波の送信元となる領域を閾値超え領域として設定する。なお以下では、強度閾値以上となる値を示す受信強度を閾値超え受信強度ともいう。
【００５１】
強度閾値とは、予め定められた値を表し、本実施形態では第１の閾値Ｓ１に定められている。第１の閾値Ｓ１は、ＬＦアンテナ３２によりＬＦ帯の電波が送信された領域と同じ領域に通信機２０が存在する場合の、該通信機２０による受信強度程度の値又はそれ以下の値に設定されている。また、第１の閾値Ｓ１は、ＬＦアンテナ３２によりＬＦ帯の電波が送信された領域と異なる領域に通信機２０が存在する場合の、該通信機２０による受信強度よりも大きい値に設定されている。
【００５２】
第１の閾値Ｓ１は、このような範囲において任意の値に設定されてよい。第１の閾値Ｓ１は、メモリ５２に予め記録されている。
なお、ＣＰＵ５１は、閾値越え受信強度が強度情報において何番目に記録されているかに基づいて、対応する電波の送信元を特定する。具体的には、ＣＰＵ５１は、例えば強度情報において２番目に記録されている受信強度が第１の閾値Ｓ１以上である場合は、該受信強度に対応する電波の送信元を第２の通信領域３２２であると特定し、第２の通信領域３２２を閾値超え領域として設定する。ＣＰＵ５１は閾値超え領域をメモリ５２に記録する。
【００５３】
ところで、本実施形態では、第１の通信領域３２１〜第３の通信領域３２３といった複数の領域に向けて順に、予め定められた時間（以下、サーチ時間）内に予め定められた複数回、ＬＦ帯の電波が送信されるように構成されている。すなわち、ＣＰＵ５１は、サーチ指令を送信した後に、第１の通信領域３２１〜第３の通信領域３２３といった複数の領域に向けて順に電波を送信する、という一連の処理を複数回（以下、サーチ回数）、繰り返すように構成されている。
【００５４】
具体的には、ＣＰＵ５１は、Ｓ１３５にてＬＦ送信回数が予め定められたサーチ回数以上となったか否かを判断する。サーチ回数とは、複数の領域に電波を送信する一連の処理を繰り返す回数を表す。本実施形態では、サーチ回数は２回に定められており、予めメモリ５２に記録されている。なお、サーチ時間とは、複数の領域に電波を送信する一連の処理を連続してサーチ回数繰り返すのに必要な時間を表す。
【００５５】
前述のように、ＣＰＵ５１は、Ｓ１０５の処理を実行した回数としてのＬＦ送信回数をメモリ５２に記録している。ＣＰＵ５１は、ＬＦ送信回数がサーチ回数未満である場合に処理をＳ１００へ移行させ、ＬＦ送信回数がサーチ回数以上である場合に処理をＳ１４０へ移行させる。
【００５６】
続いてＣＰＵ５１は、Ｓ１４０では、閾値越え領域において、時間の経過に伴う受信強度の変化量（以下、経過変化量）が予め定められた変化量閾値未満であるか否かを判断する。閾値越え領域とは、前述のように受信強度が強度閾値以上となる領域を表し、メモリ５２に記録されている。
【００５７】
ＣＰＵ５１は、ＬＦアンテナ３２に第１の通信領域３２１、第２の通信領域３２２及び第３の通信領域３２３に向けて順に、予め定められた時間内に、サーチ回数繰り返し電波を送信させるので、メモリ５２には複数回分、つまりサーチ回数分の強度情報が記録されている。
【００５８】
ＣＰＵ５１は、このようなサーチ回数分の強度情報において、閾値越え領域における受信強度の経過変化量が強度閾値以上であるか否かを判断する。
変化量閾値とは、乗員が車両内において座席を移動する前後における受信強度の変化量程度の値を表す。ここで、経過変化量が変化量閾値以上であるということは、車両内において乗員の移動があったことを表す。変化量閾値は予めメモリ５２に記録されている。なお、変化量閾値は任意の値に設定されてもよい。
【００５９】
ＣＰＵ５１は、閾値越え領域において経過変化量が変化量閾値未満である場合に処理をＳ１４５へ移行させ、変化量閾値以上である場合に処理を本電力制御処理を終了させる。
ＣＰＵ５１は、Ｓ１４５では、機器情報、を取得する。機器情報とは、車両内における予め定められた複数の領域と、複数の領域内に配置される一又は複数の機器との対応関係を表す情報をいう。
【００６０】
ここでいう領域とは、第１の通信領域３２１、第２の通信領域３２２、及び第３の通信領域３２３のそれぞれを表す。これらの領域は、前述のように、一または複数の座席に対して定められている。
【００６１】
ここでいう機器とは、各領域内に存在する人による直接操作により作動する機器、及び各領域内に存在する人による直接操作が不可能で制御装置５０等による制御に従って自動で作動する機器、の両方を表す。
【００６２】
直接操作には、手のような身体の一部を用いる操作や、リモコン等を用いる操作が含まれてよい。具体的には、前述のナビゲーション装置４１、エアコン入力装置４２、シート入力装置４３、等が直接操作が可能な機器に含まれうる。また例えば、図示していないが、各領域に設置されてある領域に乗員が存在することが検出された場合に自動で該領域内を照らす照明装置や、各領域に設置されてある領域に乗員が存在することが検出された場合に自動で画像や音声を出力する該領域内のディスプレイ等が、自動で作動する機器に含まれてもよい。
【００６３】
機器情報の一例を図５に示す。なお、本実施形態では、後述するようにＣＰＵ５１は人が存在する座席を判断するように構成されているで、機器情報は、座席と座席に対して配置される一または複数の機器との対応関係が座席毎に表されるものとなっている。
【００６４】
なお、機器情報では、エンジン始動ボタン３３は運転席７１にのみ対応付けられている。すなわち、複数の領域のうち運転席７１に対して定められた領域以外に対しては、言い換えれば、助手席７２、運転席後部席７３、助手席後部席７４のそれぞれに対して定められた領域に対しては、少なくともエンジンを起動させる機器が対応付けられないように設定されている。
【００６５】
ＣＰＵ５１は、Ｓ１５０では、第１の通信領域３２１〜第３の通信領域３２３といった複数の領域のうちいずれの領域に人が存在するかを判断する。
具体的には、ＣＰＵ５１は、メモリ５２に記録されている強度情報を用いて、複数の領域のうち受信強度が予め定められた強度閾値以上となる領域を通信機２０が存在する領域として推定し、通信機２０が存在する領域を乗員が存在する領域として判断する。
【００６６】
本実施形態では、図６に示すように、受信強度に対して第１の閾値Ｓ１と、第１の閾値Ｓ１よりも小さい第２の閾値Ｓ２とが、強度閾値として予め設定されており、第１の閾値Ｓ１及び第２の閾値Ｓ２は予めメモリ５２に記録されている。図６に示す距離とは、ＬＦアンテナ３２の通信領域の中心からの距離を表す。
【００６７】
なお、ＬＦアンテナ３２は、図示していないが、本実施形態では、電波を送信する際の強度を表す送信強度が、通信領域内においてはほぼ一定であり、通信領域外においては該通信領域から離れるに従って小さくなるように、構成されている。本実施形態では、第１の閾値Ｓ１は通信領域内の位置における受信強度の大きさに設定され、第２の閾値Ｓ２は通信領域外であって比較的通信領域に近い位置における受信強度の大きさに設定されている。
【００６８】
ＣＰＵ５１は、まず、第１の閾値Ｓ１を強度閾値として用いて、乗員が存在する領域を判断する。
ＣＰＵ５１は、例えば図５に示すように、第１の通信領域３２１に対応する受信強度のみが第１の閾値Ｓ１以上である場合、第１の通信領域を人が存在する領域であると判断する。
【００６９】
第１の通信領域３２１は複数の座席に対して定められているため、ＣＰＵ５１は、本実施形態では更に、複数の座席のうちいずれの座席に対して定められた領域に人が存在するのかを判断する。該判断には、第２の閾値Ｓ２を用いる。
【００７０】
具体的には、ＣＰＵ５１は、第２の通信領域３２２に対応する受信強度が第２の閾値Ｓ２以上であり、第３の通信領域３２３に対応する受信強度が第２の閾値Ｓ２未満である場合、運転席７１に対して定められた領域を人が存在する領域であると判断する。言い換えれば、運転席７１を人が存在する座席であると判断する。
【００７１】
また、ＣＰＵ５１は、第２の通信領域３２２に対応する受信強度が第２の閾値Ｓ２未満であり、第３の通信領域３２３に対応する受信強度が第２の閾値Ｓ２以上である場合、助手席７２に対して定められた領域を人が存在する領域であると判断する。言い換えれば、助手席７２を人が存在する座席であると判断する。
【００７２】
ＣＰＵ５１は、第２の通信領域３２２に対応する受信強度が第１の閾値Ｓ１以上であり、残りの通信領域に対応する受信強度が第２の閾値Ｓ２未満である場合、第２の通信領域３２２を、すなわち運転席後部席７３に対して定められた領域を人が存在する領域であると判断する。言い換えれば、運転席後部席７３を人が存在する座席であると判断する。
【００７３】
同様に、ＣＰＵ５１は、第３の通信領域３２３に対応する受信強度が第１の閾値Ｓ１以上であり、残りの通信領域に対応する受信強度が第２の閾値Ｓ２未満である場合、第３の通信領域３２３を、すなわち助手席後部席７４に対して定められた領域を人が存在する領域であると判断する。言い換えれば、助手席後部席７４を人が存在する座席であると判断する。
【００７４】
なお、ＣＰＵ５１は、第１の通信領域３２１〜第３の通信領域３２３に対応する受信強度が全て第１の閾値Ｓ１未満であった場合、車両５内に人が存在しないと判断する。
ＣＰＵ５１は、人が存在すると判断した領域をメモリ５２に記録する。また、ＣＰＵ５１は、車両５内に人が存在しないと判断した場合は、車両５内に人が存在しないことをメモリ５２に記録する。
【００７５】
ＣＰＵ５１は、Ｓ１５５では、Ｓ１５０による判断結果と機器情報とに基づいて、周囲機器と非周囲機器とを特定する。周囲機器とは、車両内において人が存在する領域に対応する機器を表す。非周囲機器とは、機器情報に含まれる機器のうちの周囲機器を除く機器を表す。すなわち、非周囲機器とは、車両内において人が存在しない領域に対応する機器を表す。
【００７６】
例えば、ＣＰＵ５１は、運転席７１に人が存在すると判断された場合、運転席７１に対応して配置されたナビゲーション装置４１ａ、エアコン入力装置４２ａ、シート入力装置４３ａ、エンジン始動ボタン３３を、周囲機器として特定する。
【００７７】
また、この場合、ＣＰＵ５１は、複数の領域のうち運転席７１に対して定められた領域を除く領域に配置された装置の全てを非周囲機器として特定する。つまり、助手席７２、運転席後部席７３、助手席後部席７４に対応して配置されたナビゲーション装置４１ｂ〜４１ｄ、エアコン入力装置４２ｂ〜４２ｄ、シート入力装置４３ｂ〜４３ｄ、を非周囲機器として特定する。
【００７８】
例えば、ＣＰＵ５１は、Ｓ１５０にて助手席７２に人が存在すると判断された場合、助手席７２に対応して配置されたナビゲーション装置４１ｂ、エアコン入力装置４２ｂ、シート入力装置４３ｂ、を周囲機器として特定する。
【００７９】
また、この場合、ＣＰＵ５１は、複数の領域のうち運転席７１に対して定められた領域を除く領域に配置された装置の全てを非周囲機器として特定する。つまり、運転席７１、運転席後部席７３、助手席後部席７４に対応して配置されたナビゲーション装置４１ａ、４１ｃ〜４１ｄ、エアコン入力装置４２ａ、４２ｃ〜４２ｄ、シート入力装置４３ａ、４３ｃ〜４３ｄ、及びエンジン始動ボタン３３を非周囲機器として特定する。
【００８０】
ＣＰＵ５１は、Ｓ１６０では、車両５が停止中であるか否かを判断する。ここでいう停止とは、車速が０であることを表す。具体的には、ＣＰＵ５１は、車速を検出する車速センサから取得した車速が０である場合に車両５が停止中であると判断する。なお、ここでいう０とは、厳密な意味での０に限るものではなく、目的とする効果を奏するのであれば厳密に０でなくてもよい。
【００８１】
ＣＰＵ５１は、車両５が停止中である場合に処理をＳ１６５へ移行させ、停止中でない場合に本電力制御処理を終了させる。
ＣＰＵ５１は、Ｓ１６５では、電力の制御を行うための指令（以下、制御指令）を出力する。ＣＰＵ５１は、周囲機器に電力を供給し、且つ、非周囲機器の全てに電力を供給しない制御を行うよう指令を制御指令として出力する。具体的には、ＣＰＵ５１は、ナビＥＣＵ３５ａ、エアコンＥＣＵ３５ｂ、シートＥＣＵ３５ｃ、エンジンＥＣＵ３５ｄに対して、それぞれのＥＣＵに接続される周囲機器及び非周囲機器への電力の供給及び停止を実行させるための指令を出力する。そして、本電力制御処理を終了する。
【００８２】
［通信機処理］
ＣＰＵ２１が実行する通信機処理について、図７のフローチャートを用いて説明する。以下の説明において主語が省略されている場合は、ＣＰＵ２１を主語とする。
【００８３】
ＣＰＵ２１は、Ｓ２００では、サーチ指令を受信したか否かを判断する。サーチ指令を受信した場合は処理をＳ２１０へ移行させ、受信していない場合は本通信機処理を終了する。
【００８４】
ＣＰＵ２１は、Ｓ２１０では、ＬＦ帯の電波を受信した際の受信強度を、ＬＦ帯の電波を受信した順に、メモリ２２に記録する。
上述のように、本実施形態では、ＬＦアンテナ３２は、ＬＦアンテナ３２ａ、ＬＦアンテナ３２ｂ、ＬＦアンテナ３２ｃの順にＬＦ帯の電波を送信する。ＬＦ帯の電波が送信される際の時間間隔は予め定められており、メモリ２２に記録されている。ＣＰＵ２１は、該時間間隔に基づいて、各ＬＦアンテナ３２から送信されたＬＦ帯の電波に対応する受信強度を順にメモリ５２記録する。このように、受信強度を順に記録した情報が強度情報である。
【００８５】
ＣＰＵ２１は、Ｓ２２０では、メモリ２２に記録されている識別情報を取得する。
ＣＰＵ２１は、Ｓ２３０では、強度情報及び識別情報をＲＦ送信部２３に出力する。これにより、強度情報及び識別情報がＲＦアンテナ２４を介してＲＦ帯の電波として送信される。
【００８６】
このように、通信機２０は、サーチ指令を受信する毎に、第１の通信領域３２１〜第３の通信領域３２３に対して順に送信されたＬＦ帯の電波の受信強度を受信した順に記録した強度情報を、ＲＦ帯の電波を用いて送信するように構成されている。
【００８７】
［作動］
このように構成された電力制御システム１の作動の一例について説明する。以下では、一例として図８に示すように、通信機２０を携帯した乗員が運転席後部席７３に位置している場合について説明する。
【００８８】
車載装置１０は、サーチ指令を出力し、ＬＦアンテナ３２を用いて順にＬＦ帯の電波を送信する。通信機２０は、サーチ指令を受信し、ＬＦ帯の電波の受信強度を順に記録した強度情報を生成し、該強度情報を車載装置１０へ送信する。本実施形態ではサーチ回数は２回に設定されているので、車載装置１０はＬＦアンテナ３２からＬＦ帯の電波を順に送信するまでの一連の作動を、通信機２０は強度情報を送信するまでの一連の作動を、それぞれ２回繰り返す。
【００８９】
通信機２０は、通信機２０が運転席後部席７３に位置する場合、３つのＬＦアンテナ３２から送信されたＬＦ帯の電波のうち、ＬＦアンテナ３２ｂから第２の通信領域３２２に対して送信されたＬＦ帯の電波のみを、第１の閾値Ｓ１以上となる受信強度で受信する。また、通信機２０は、第１の通信領域３２１及び第３の通信領域３２３に対して送信されたＬＦ帯の電波については、第２の閾値Ｓ１未満となる受信強度で受信する。通信機２０は、このように受信強度を表した強度情報を送信する。
【００９０】
車載装置１０は、強度情報を受信すると、第２の通信領域３２３を閾値越え領域として特定する。次に、車載装置１０は、１回目及び２回目に受信した強度情報において、該閾値越え領域の受信強度についての経過変化量が変化量閾値未満である場合に、車両内において人の移動がなかったものと判断する。続いて車載装置１０は、強度情報と機器情報とに基づいて、通信機２０が第２の通信領域３２２に位置すると判断し、通信機２０の位置する運転席後部席７３が人１００の存在する座席であると判断する。
【００９１】
車載装置１０は、運転席後部席７３に対応する周囲機器に対して電力を供給する。これにより、運転席後部席７３に存在する人１００は、周囲機器を利用することが可能となる。また、車載装置１０は、非周囲機器に対して電力の供給を停止する。これにより、車両５における消費電力が低減される。
【００９２】
［３．効果］
以上詳述した実施形態によれば、以下の効果が得られる。
（１）制御装置５０は、車両５において、電力の供給について制御を行う。制御装置５０は、車両５内における予め定められた第１の通信領域３２１〜第３の通信領域３２３と、第１の通信領域３２１〜第３の通信領域３２３内に配置される一又は複数の機器との対応関係を領域毎に表す機器情報、を取得する。制御装置５０は、第１の通信領域３２１〜第３の通信領域３２３のうちいずれの領域に人が存在するかを判断する。
【００９３】
制御装置５０は、機器情報と領域判断部による判断結果とに基づいて、人が存在する領域に対応する機器を表す周囲機器を特定する。制御装置５０は、周囲機器に電力を供給し、且つ、機器情報に含まれる機器のうちの周囲機器を除く機器を表す非周囲機器のうち少なくとも一部には電力を供給しない制御を行う。
【００９４】
このような構成によれば、車両内に存在する人は周囲機器を利用することが可能となるので、車両に存在する人の利便性が害されることを抑制することができる。更に、非周囲機器のうち少なくとも一部には電力が供給されないので、消費電力を低減することができる。
【００９５】
（２）制御装置５０は、車両５内に設置され電波を送信するＬＦアンテナ３２に、複数の領域に向けて順に電波を送信させる。制御装置５０は、人に携帯されて移動可能な通信機２０であって、ＬＦアンテナ３２から電波が送信されるたびに送信された電波を受信して受信した電波の受信強度を受信した順に表した強度情報を送信する通信機２０、から強度情報を取得する。
【００９６】
制御装置５０は、強度情報を用いて、複数の領域のうち受信強度が予め定められた強度閾値以上となる領域を通信機２０が存在する領域として推定し、通信機２０が存在する領域を人が存在する領域として判断する。
【００９７】
これによれば、通信機２０が乗員に携帯されている場合又は通信機２０が乗員の側に置かれている場合に、乗員が存在する領域を精度よく推定することができる。
（３）制御装置５０は、ＬＦアンテナ３２に複数の領域に向けて順に、予め定められた時間内に複数回、電波を送信させる。制御装置５０は、強度情報を複数回分取得する。制御装置５０は、少なくとも受信強度が強度閾値以上となる領域において時間の経過に伴う受信強度の変化量が予め定められた変化量閾値未満である場合に、複数の領域のうちいずれの領域に人が存在するかを判断する。
【００９８】
これによれば、車両内において人が移動していないときに、車両内における人が存在する領域を特定することができる。
（４）制御装置５０は、通信機２０から、通信機２０を識別する情報を表す識別情報を取得する。制御装置５０は、車両５における記録部に予め記録されている車両５の鍵として機能する認証機を識別する情報と、識別情報とが一致している場合に、通信機２０が認証機であると判断する。
【００９９】
制御装置５０は、通信機２０が認証機である場合に、周囲機器に電力を供給し、且つ、非周囲機器のうち少なくとも一部に電力を供給しない制御を行う。
これによれば、通信機２０が認証機である場合に電力の制御が行われる。つまり、車両の鍵として機能する認証機と通信機２０とを兼ねることができるので、利便性の向上を図ることができる。
【０１００】
（５）複数の領域には、車両５内における運転席を除く領域が含まれており、制御装置５０は、運転席を除く領域に人が存在すると判断された場合に、少なくともエンジンを起動させる機器に電力を供給しない。
【０１０１】
ここでいうエンジンを起動させる機器とは、エンジン始動ボタン３３を表す。
これによれば、運転席７１以外に人が存在したとしても、運転席７１に人が存在しない場合はエンジンを起動させることができない。すなわち、仮に運転席７１以外に人が存在する場合に運転席７１に第三者が乗り込んできたとしてもエンジン始動ボタン３３には電力が供給されずエンジンが起動されないので、該第三者による車両５の盗難を抑制することができる。
【０１０２】
（６）第１の通信領域３２１〜第３の通信領域３２３は、それぞれ、車両５内における一又は複数の座席に対して定められている。これによれば、一又は複数の座席に対して配置された装置に対する電力の供給について制御を行うことができる。
【０１０３】
（７）制御装置５０は、車両５が停止している場合に、周囲機器に電力を供給し、且つ、非周囲機器のうち少なくとも一部に電力を供給しない制御を行う。
これによれば、車両が停止している場合に、車両内に人が存在しない領域に対応した機器の少なくとも一部には電力を供給しない構成を備えるので、停止中のバッテリによる消費電力を抑制することができる。
【０１０４】
［４．他の実施形態］
以上、本発明を実施するための形態について説明したが、本発明は上述の実施形態に限定されることなく、種々変形して実施することができる。
【０１０５】
（１）上記実施形態では、ＬＦアンテナ３２によりＬＦ帯の電波が順に送信される複数の領域は、それぞれ、運転席７１及び助手席７２、運転席後部席７３、助手席後部席７４に対して定められていたが、これに限定されるものではない。複数の領域は、車両内における任意の一又は複数の座席に対して定められてもよい。また、該複数の領域は、車両内における一又は複数の座席に対してではなく、車両内における任意の領域に対して定められてもよい。また、複数の領域に対して電波を送信する順は、任意に定められてよい。
【０１０６】
（２）上記実施形態では、制御装置５０は、複数の領域のうち受信強度が強度閾値以上となる領域を通信機２０が存在する領域、すなわち人が存在する領域として判断していたが、これに限定されるものではない。制御装置５０は、複数の領域のうち受信強度が最大となる領域を通信機２０が存在する領域、すなわち人が存在する領域として判断してもよい。
【０１０７】
（３）上記実施形態では、サーチ回数は２回に定められていたが、これに限定されるものではない。サーチ回数は任意に定められてよい。
例えば、サーチ回数は１回に設定されていてもよい。この場合、ＣＰＵ５１は、Ｓ１４０において常に処理をＳ１５０へ移行させるように構成されてもよい。また例えば、サーチ回数は３回以上の複数回に設定されていてもよい。この場合、ＣＰＵ５１は、Ｓ１４０にて、例えば、経過変化量の平均値が変化量閾値未満であるか否かを判断するように構成されてもよい。
【０１０８】
（４）上記実施形態では、制御装置５０は、受信強度が強度閾値以上となる領域を閾値越え領域として特定していたが、これに限定されるものではない。制御装置５０は、例えば、強度情報において最大値を示す受信強度に対応する領域を閾値越え領域として特定してもよい。
【０１０９】
（５）上記実施形態では、ＣＰＵ５１は、Ｓ１６５では、周囲機器に電力を供給し、且つ、非周囲機器の全てに電力を供給しないよう制御する指令を制御指令として出力していたが、これに限定されるものではない。ＣＰＵ５１は、Ｓ１６５では、周囲機器に電力を供給し、且つ、非周囲機器のうち少なくとも一部に電力を供給しないよう制御する指令を制御指令として出力してもよい。
【０１１０】
（６）上記実施形態では、ＣＰＵ５１は、車両５が停止している場合に制御指令を出力するよう構成されていたが、これに限定されるものではない。ＣＰＵ５１は、車両５の走行中に制御指令を出力するように構成されてもよい。この場合、図４に示すフローチャートにおいてＳ１６０が省略されてもよい。
【０１１１】
（７）上記実施形態では、制御装置５０は、運転席７１を除く領域に人が存在すると判断された場合に、エンジンを起動させる機器としてのエンジン始動ボタン３３に電力を供給しないよう構成されていたが、これに限定されるものではない。制御装置５０は、エンジンの駆動に関する任意の装置をエンジンを起動させる機器として、該機器に対して電力を供給しないように構成されてもよい。例えば、制御装置５０は、エンジン始動ボタン３３に代えてエンジンの制御を実行するエンジンＥＣＵに電力を供給しないよう構成されてもよい。
【０１１２】
（８）上記実施形態では、電力制御システム１は、通信機２０を１つ備えていたが、これに限定されるものではない。電力制御システム１は、複数の通信機２０を備えていてもよい。
【０１１３】
この場合、制御装置５０は、通信機２０ごとの強度情報に基づいて人が存在する領域を判断してもよい。複数の通信機２０のうちそれぞれの通信機２０の識別は識別情報を用いて行われてもよい。なお、この場合、Ｓ１３０にて閾値越え領域が複数設定されることが有り得る。このような場合、制御装置５０は、Ｓ１４０にて、全ての閾値越え領域において経過変化量が変化量閾値未満である場合にのみ処理をＳ１４５へ移行させるよう構成されてもよい。
【０１１４】
（９）上記実施形態において、車両５内に人が存在しないと判断された場合、ＣＰＵ５１は、電力リレー３６１ａ〜電力リレー３６１ｃをオフする指令を制御指令として出力してもよい。
【０１１５】
（１０）上記実施形態において、供給部３６では、電力リレー３６１毎に同様の機能を有する機器及び該機器を制御するＥＣＵが接続されていた。例えば、電力リレー３６１ａには、ナビゲーションに関する機器を有するナビゲーション装置４１及びナビＥＣＵ３５ａが接続されていた。ただし、供給部３６の構成はこれに限定されるものではない。
【０１１６】
例えば、供給部３６は、電力リレー３６１毎に、同一の通信領域又は座席に対応して配置された機器が接続されるよう、構成されてもよい。
具体的には、供給部３６において、電力リレー３６１ａに、運転席７１に対応して配置された機器として、ナビゲーション装置４１ａ、エアコン入力装置４２ａ、シート入力装置４３ａ、エンジン始動ボタン３３が接続されてもよい。他の電力リレーについても同様に、各座席に対応して配置された機器が接続されてもよい。
【０１１７】
そして、制御装置５０は、例えば、運転席７１を人が存在する領域であると判断した場合に電力リレー３６１ａをオンして運転席７１に対応する機器に電力を供給するよう構成されてもよい。また、制御装置５０は、運転席７１を人が存在する領域であると判断しなかった場合に、電力リレー３６１ａをオフして運転席７１に対応する機器に電力を供給しないよう構成されてもよい。
【０１１８】
（１１）上記実施形態では、制御装置５０は、車両内における複数の領域のうち、電波の受信強度に基づいて通信機２０が存在する領域を推定し、該領域を車両内において人が存在する領域であると判断していたが、これに限定されるものではない。制御装置５０は、例えば重量に基づいて各座席に人がいることを検出するセンサを用いる等、周知である種々の構成に基づいて、車両内における人が存在する領域または座席を推定してもよい。
【０１１９】
（１２）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【０１２０】
（１３）上述した電力制御システム１、制御装置５０、ＣＰＵ５１、通信機２０、ＣＰＵ２１の他、ＣＰＵ５１、ＣＰＵ２１を機能させるためのプログラム、このプログラムを記録した半導体メモリ等の非遷移的実態的記録媒体、電力制御方法など、種々の形態で本発明を実現することもできる。
【０１２１】
［実施形態の構成と本発明の構成との対応関係］
制御装置５０が、送信指示部、識別取得部、認証部、強度取得部、機器取得部、領域判断部、特定部、供給制御部に相当する。また、ＬＦアンテナ３２が送信機に相当し、ＲＦアンテナ３１が受信機に相当する。
【０１２２】
また、Ｓ１０５が送信指示部としての処理に相当し、Ｓ１１０が識別取得部としての処理に相当し、Ｓ１１５が認証部としての処理に相当し、Ｓ１２０が強度取得部としての処理に相当する。また、Ｓ１４５が機器取得部としての処理に相当し、Ｓ１５０が領域判断部としての処理に相当し、Ｓ１５５が特定部としての処理に相当し、Ｓ１６５が供給制御部としての処理に相当する。
【０１２３】
また、第１の通信領域３２１〜第３の通信領域３２３が複数の領域に相当する。
【符号の説明】
【０１２４】
３２  ＬＦアンテナ、  ５０  制御装置、５２  メモリ。
【図１】
0006540608.tif 000002
【図２】
0006540608.tif 000003
【図３】
0006540608.tif 000004
【図４】
0006540608.tif 000005
【図５】
0006540608.tif 000006
【図６】
0006540608.tif 000007
【図７】
0006540608.tif 000008
【図８】
0006540608.tif 000009